(57)【要約】【課題】建物本体部の外壁部に耐力面材により高い耐力を付与しつつ、建物本体部の外壁部に対する下屋の棟木又は母屋の固定作業を簡易化できる、下屋の棟木又は母屋の接合構造、及び水平材受け金具を提供すること。【解決手段】本発明の下屋の棟木又は母屋の接合構造は、下屋の棟木３Ａ又は母屋３Ｂの端部を、該下屋よりも高い屋根を有する建物本体部の外壁部に固定してなり、建物本体部の外壁部に存する鉛直材５の下屋側の面に耐力面材６が固定され、該耐力面材６の下屋側の面に水平材受け金具７が固定され、該水平材受け金具７に、下屋の棟木３Ａ又は母屋３Ｂの端部が乗せ掛けられて固定されている。【選択図】図３
2010236333.tif 000002
【特許請求の範囲】
【請求項１】
下屋の棟木又は母屋の端部を、該下屋よりも高い屋根を有する建物本体部の外壁部に固定してなる下屋の棟木又は母屋の接合構造であって、
建物本体部の外壁部に存する鉛直材の下屋側の面に耐力面材が固定され、該耐力面材の下屋側の面に水平材受け金具が固定され、該水平材受け金具に、下屋の棟木又は母屋の端部が乗せ掛けられて固定されている、下屋の棟木又は母屋の接合構造。
【請求項２】
前記水平材受け金具は、前記耐力面材に当接される板状の耐力面材当接部と、棟木又は母屋の側面に当接される側面当接部と、棟木又は母屋の下面に当接される下面当接部とを有し、該耐力面材当接部には固定用孔が形成されており、該水平材受け金具が、該固定用孔に、前記耐力面材を貫通して前記鉛直材内に達するように挿入された棒状固定具によって前記耐力面材の下屋側の面に固定されていることを特徴とする請求項１記載の下屋の棟木又は母屋の接合構造。
【請求項３】
下屋の棟木又は母屋の端部を受け、該端部を、該下屋よりも高い屋根を有する建物本体部の外壁部に固定する水平材受け金具であって、
建物本体部に設けられた耐力面材に当接される板状の耐力面材当接部と、下屋の棟木又は母屋の側面に当接される側面当接部と、下屋の棟木又は母屋の下面に当接される下面当接部とを有し、該耐力面材当接部に、棒状固定具で固定するための固定用孔が形成されていることを特徴とする水平材受け金具。
【請求項４】
前記耐力面材当接部と、前記水平材受け金具に乗せ掛けられた前記棟木又は母屋の端面との間に、棒状固定具の頭部が収まる空間を形成する収容部形成部が、前記耐力面材当接部から棟木又は母屋側に突出して設けられていることを特徴とする、請求項３記載の水平材受け金具。
【請求項５】
前記収容部形成部が、前記耐力面材当接部の上端部に断面Ｌ字状に連設されている請求項４記載の水平材受け金具。
【請求項６】
前記耐力面材当接部に、水平材受け金具の中心位置と前記鉛直材の中心位置とを合わせるための位置合わせ用孔部が形成されていることを特徴とする、請求項３〜５の何れかに記載の水平材受け金具。
【発明の詳細な説明】
【技術分野】
【０００１】
本発明は、下屋の棟木又は母屋の接合構造及び水平材受け金具に関する。
【背景技術】
【０００２】
木造住宅等の木造建築物における耐震性を向上するために、矩形状に組まれた軸組材や枠組み材の外面に耐力面材を固定することが行われている（特許文献１参照）。              
【０００３】
【特許文献１】特開２００４−１００２２３号公報
【発明の開示】
【発明が解決しようとする課題】
【０００４】
また、木造住宅等には、建築物の主要部を構成する建物本体部と該建物本体部より低い屋根を有する下屋とを有する建築物もあり、そのような建築物における建物本体部の外壁部に、下屋の棟木や母屋の端部を固定する場合には、図６に示すように、建物本体部の外壁部に固定した耐力面材６，６の一部を切り欠き、棟木や母屋３の端部を、建物本体部の柱等の鉛直材５に直接固定していた。
しかし、耐力面材６，６の一部を切り欠くことは、耐力面材６，６によって壁倍率の高い耐力壁等を形成する観点からは好ましくない。他方、図６に示すように、鉛直材５に添え木５１，５１を固定し、該添え木５１，５１にも耐力面材６，６を固定することも考えられるが、添え木５１，５１の用意や固定に多大な手間が掛かる。
【０００５】
従って、本発明の目的は、建物本体部の外壁部に耐力面材により高い耐力を付与しつつ、建物本体部の外壁部に対する下屋の棟木又は母屋の固定作業を簡易化できる、下屋の棟木又は母屋の接合構造、及び水平材受け金具を提供することにある。
【課題を解決するための手段】
【０００６】
本発明は、下屋の棟木又は母屋の端部を、該下屋よりも高い屋根を有する建物本体部の外壁部に固定してなる下屋の棟木又は母屋の接合構造であって、建物本体部の外壁部に存する鉛直材の下屋側の面に耐力面材が固定され、該耐力面材の下屋側の面に水平材受け金具が固定され、該水平材受け金具に、下屋の棟木又は母屋の端部が乗せ掛けられて固定されている、下屋の棟木又は母屋の接合構造を提供するものである。
【０００７】
本発明は、下屋の棟木又は母屋の端部を受け、該端部を、該下屋よりも高い屋根を有する建物本体部の外壁部に固定する水平材受け金具であって、建物本体部に設けられた耐力面材に当接される板状の耐力面材当接部と、下屋の棟木又は母屋の側面に当接される側面当接部と、下屋の棟木又は母屋の下面に当接される下面当接部とを有し、該耐力面材当接部に、棒状固定具で固定するための固定用孔が形成されていることを特徴とする水平材受け金具を提供するものである。
【発明の効果】
【０００８】
本発明の下屋の棟木又は母屋の接合構造は、建物本体部の外壁部に耐力面材により高い耐力を付与することができ、また、建物本体部の外壁部に対する下屋の棟木又は母屋の固定作業が容易で簡易に施工できる。
【０００９】
本発明の水平材受け金具は、建物本体部の外壁部に耐力面材により高い耐力を付与しつつ、建物本体部の外壁部に対する下屋の棟木又は母屋の固定作業を簡易化できるものである。
【図面の簡単な説明】
【００１０】
【図１】図１は、本発明の下屋の棟木又は母屋の接合構造の一実施形態を備えた木造住宅の模式正面図である。
【図２】図２は、図１に示す木造住宅の模式左側面図である。
【図３】図３は、本発明の下屋の棟木又は母屋の接合構造の一実施形態及びその構築方法を示す図である。
【図４】図４は、本発明の水平材受け金具の一実施形態を示す斜視図である。
【図５】図５は、図４に示す水平材受け金具の、（ａ）正面図、（ｂ）左側面図及び（ｃ）底面図である。
【図６】下屋の棟木又は母屋の接合構造の従来図である。
【発明を実施するための形態】
【００１１】
以下、本発明をその好ましい実施態様に基づいて詳細に説明する。
図１及び図２に示す木造住宅は、２階建ての木造住宅であり、主要部を構成する建物本体部２と、該建物本体部２の屋根２１より低い屋根１１を有する下屋１とを有している。建物本体部２は、切り妻型の屋根２１を有しており、下屋１の屋根１１が、該屋根２１の妻面に連続する外壁部４から突出するように設けられている。
下屋１には、水回りが配置されたり、玄関が配置されたりするが、それらに限定されるものではない。
建物本体部２の前記外壁部４には、柱等の鉛直材５と梁等の横架材５Ａ，５Ｂとから矩形状の枠状構造が形成されており、該枠状構造の屋外に臨む外面側に、耐力面材６が固定されている。耐力面材６としては、耐力壁を形成するために使用される各種公知のものを用いることができ、例えば、構造用合板や構造用パネル等を用いることができる。また、特許文献１の段落〔００２３〕に記載のものを用いることもできる。市販のものとしては、大建工業株式会社製の「ダイライト」等を好ましく用いるこができる。なお、建物本体部２の前記外壁部４における、下屋１の屋根１１より上方に位置する部分には、サイディングやモルタル等の仕上げ材が設けられている。
【００１２】
下屋１の屋根１１は、図示しない小屋束によって支持された棟木３Ｂ及び母屋３Ａ，３Ａ、棟木３Ｂ及び母屋３Ａ，３Ａ上に固定された垂木１２、垂木１２上に固定された、屋根下地材（野地板板等）及び屋根仕上げ材（スレート、瓦等）１３等からなる。
【００１３】
図３は、本発明の一実施形態に係る、下屋の棟木又は母屋の接合構造及びその構築方法を示す図である。
本実施形態の下屋の棟木又は母屋の接合構造は、図３（ｄ）に示すように、図１に示す下屋１の棟木３Ａ又は母屋３Ｂの端部を、図１に示す建物本体部２の外壁部４に固定してなる。本実施形態の下屋の棟木又は母屋の接合構造は、以下のようにして構築される。
【００１４】
先ず、図３（ａ）に示すように、建物本体部の外壁部４に存する鉛直材５の下屋側の面に耐力面材６，６・・を固定し、そのように固定した耐力面材６，６の下屋側の面に、水平材受け金具７を固定する。水平材受け金具７は、耐力面材６の鉛直材５上に位置する部分に固定する。耐力面材６は、図３（ａ）に示すように、鉛直材５の幅方向中央に、隣接する耐力面材６との境界部が位置するように配置することが好ましく、個々の耐力面材６の固定には、釘６１等の各種公知の方法を用いることができる。
【００１５】
本実施形態で用いた水平材受け金具７は、図４に示すように、一枚の金属板を折曲して形成されており、耐力面材６に当接される板状の耐力面材当接部７１と、棟木３Ａ又は母屋３Ｂの側面３１，３１に当接される側面当接部７２，７２と、棟木３Ａ又は母屋３Ｂの下面３２に当接される下面当接部７３とを有している。側面当接部７２，７２及び下面当接部７３は、それぞれ板状をなしており、耐力面材当接部７１に対して直角に設けられている。側面当接部７２，７２それぞれと下面当接部７３とも直角をなしている。
【００１６】
耐力面材当接部７１には、複数個の固定用孔７１ａ，７１ｂ，７１ｃが形成されており、該水平材受け金具７１は、図３（ａ）に示すように、該固定用孔７１ａ，７１ｂ，７１ｃに、棒状固定具７４を挿通することによって耐力面材６の下屋側の面に固定する。棒状固定具７４としては、ビスが好ましく用いられる。ビス等による固定は、ビス等を、耐力面材６を貫通して鉛直材５内に達するように挿入して固定することが好ましい。ビス等による耐力面材６の貫通は、耐力面材６にビスをねじ込むことにより貫通させても良いし、ビスを通す位置に予め孔を設け、該孔にビスを貫通させても良い。水平材受け金具７１は、左右の一方の側の固定用孔７１ａと、他方の側の固定用孔７１ｂとの高さ方向の位置が異なっており、棒状固定具７４による鉛直材５の割れや強度低下を防止している。また、一方の側の固定用孔７１ａと他方の側の固定用孔７１ｂとで、相隣接配置された耐力面材の各端部を固定することができる。
【００１７】
水平材受け金具７１を耐力面材６に固定した後、図３（ｂ）に示すように、水平材受け金具７における下面当接部７３上に、下屋１の棟木３Ａ又は母屋３Ｂの端部を乗せ掛ける。側面当接部７２，７２間の間隔Ｗ１〔図５（ｂ）参照〕は、固定する水平材の幅とほぼ等しい。水平材が下屋の母屋である場合の間隔Ｗ１は、例えば、９０〜１２０ｍｍ程度とすることができ、水平材が下屋の棟木である場合の間隔Ｗ１は、例えば、９０〜１５０ｍｍ程度とすることができる。一例を挙げれば、間隔Ｗ１は９０ｍｍ又は１０５ｍｍである。
【００１８】
また、側面当接部７２，７２それぞれにも、図４及び図５（ｂ）に示すように、複数個の固定用孔７２ａが形成されており、図３（ｃ）に示すように、ビス等の棒状固定具７５を、固定用孔７２ａに挿通することによって、側面当接部７２，７２を、棟木３Ａ又は母屋３Ｂの側面に固定する。これにより、図４（ｄ）に示す本実施形態の接合構造が得られる。なお、棟木３Ａ又は母屋３Ｂの他端部は、下屋の小屋束上等に固定する。また、図５に示す水平材受け金具７１の固定用孔７１ａ，７１ｂ，７１ｃ，７２ａには、ビス等に対応する雌ねじ部が形成されていないが、棒状固定具７４，７５の種類によっては雌ねじを設けることもできる。また、棒状固定具７４，７５として、ボルトを用い、鉛直材５や母屋３Ａ等を貫通したボルトにナットを螺合させるいことによって、水平材受け金具７１を耐力面材６及び鉛直材５に固定することもできる。
【００１９】
上記の水平材受け金具７は、本発明の水平材受け金具の好ましい一実施形態であり、水平材受け金具７を用いることで、建物本体部２の外壁部４に耐力面材６，６・・により高い耐力を付与しつつ、建物本体部２の外壁部４に対する下屋の棟木又は母屋の固定作業を簡易化できる。
また、上記のようにして構築された下屋の棟木又は母屋の接合構造によれば、建物本体部２の外壁部４に耐力面材６，６・・により高い耐力を付与することができ、また、建物本体部２の外壁部４に対する下屋の棟木又は母屋の固定作業が容易で簡易に施工できる。
【００２０】
図４及び図５に示す水平材受け金具７は、耐力面材当接部７１と、水平材受け金具に乗せ掛けられた棟木３Ａ又は母屋３Ｂの端面との間に、棒状固定具の頭部（ビスの頭等）が収まる空間を形成する収容部形成部７６を有している。収容部形成部７６は、金属板を折曲することにより形成されており、耐力面材当接部７１の上端部に断面Ｌ字状に連設されている。
【００２１】
収容部形成部７６は、下面当接部７３との間の距離Ｌ１が、下面当接部７３上に乗せる棟木３Ａ又は母屋３Ｂの高さよりも短くなっており、収容部形成部７６の先端部が、棟木３Ａ又は母屋３Ｂの端面に突き当たることによって、棒状固定具の頭部（ビスの頭等）が収まる空間が形成される。
【００２２】
棒状固定具の頭部（ビスの頭等）が収まる空間が形成されることによって、母屋等の取付長さ等のルール化が図られ、プレカット加工の精度向上及び母屋等を小屋束に固定する際の位置調整が容易に行なえる。
なお、収容部形成部７６の耐力面材当接部７１からの突出長さＬ２が、５〜２０ｍｍ、特に８〜１０ｍｍであることが好ましい。
【００２３】
また、図４及び図５に示す水平材受け金具７は、耐力面材当接部７１に、幅方向の中央部に、水平材受け金具７の中心位置と鉛直材５の中心位置とを合わせるための位置合わせ用孔部７７を有している。位置合わせ用孔部７７を有することで、水平材受け金具７を、鉛直材５の中心位置、及び／又は耐力面材６，６の境界部との関係で適切な位置に固定できる。これにより、水平材受け金具７の固定位置がずれることがなく、施工における作業時間を短縮することができる。
【００２４】
以上、本発明の一実施形態について説明したが、本発明は、上記の実施形態に制限されず、適宜変更可能である。
例えば、水平材受け金具は、非板状の側面当接部や非板状の下面当接部を有するものであっても良い。また、木造住宅は、在来軸組構法であっても、ツーバイフォー等の他の工法によるものであっても良い。外壁部に存する鉛直材は、小屋束や、窓等の開口部下に配される鉛直材等であっても良い。水平材受け金物の収容部形成部は、耐力面材当接部の上端部以外の部分から突出するように形成されていても良い。
【符号の説明】
【００２５】
１  下屋
２  建物本体部
３Ａ  下屋の棟木（水平材）
３Ｂ  下屋の母屋（水平材）
４  建物本体部の外壁部
５  鉛直材（構造材）
６  耐力面材
７  水平材受け金物
７１  耐力面材当接部
７２  側面当接部
７３  下面当接部
７４，７５  固定用孔
７６  収容部形成部
７７  位置合わせ孔部
【図１】
2010236333.tif 000003
【図２】
2010236333.tif 000004
【図３】
2010236333.tif 000005
【図４】
2010236333.tif 000006
【図５】
2010236333.tif 000007
【図６】
2010236333.tif 000008